(57)【要約】【課題】、施工が容易で工期の短縮化、施工費の削減を図ることができる仮受け工法を提供する。【解決手段】  建物の既設の壁２の下部に、複数のアンカー４を打設することにより壁２の下部を補強する第１工程と、アンカー４により補強した部分の下方の壁２の部分に、壁２の全長に亘って所定の間隔ごとに開口部９を設ける第２工程と、各開口部９内に補強フレーム１０をそれぞれ設置する第３工程と、隣接する補強フレーム１０間に位置する壁２の部分を撤去し、その部分に補強フレーム１０を設置するとともに、開口部９内にコンクリート１５を打設して、壁２の下部に梁１６を構築する第４工程とを備える。添梁を設置する必要がないので、添梁と壁とを緊結するＰＣ鋼棒も不要になり、施工が容易となり、工期を短縮でき、施工費を大幅に削減することができる。【選択図】        図６
2006299660.tif 000002
【特許請求の範囲】
【請求項１】
建物の既設の壁の下部の全長に亘って所定の間隔ごとに開口部を形成する開口部形成工程と、
前記各開口部内に補強フレームをそれぞれ設置する補強フレーム設置工程と、
隣接する補強フレーム間に位置する壁の部分を撤去し、その部分に補強フレームを設置するとともに、前記開口部内にコンクリートを打設して、前記壁の下部に梁を構築する受替え工程とを備えてなることを特徴とする仮受け工法。
【請求項２】
前記開口部形成工程と前記補強フレーム設置工程とを交互に行い、前記開口部形成工程で形成した開口部を前記補強フレーム設置工程の補強フレームで順次補強することを特徴とする請求項１に記載の仮受け工法。
【請求項３】
前記補強フレームと前記壁との間には、ジャッキが設置されていることを特徴とする請求項１又は２に記載の建物の仮受け工法。
【請求項４】
前記建物は複数の壁を有し、各壁の下部にそれぞれ縦梁が構築されるとともに、隣接する壁の下部間に縦梁間を連結するつなぎ梁が構築されることを特徴とする請求項１から３の何れかに記載の仮受け工法。
【請求項５】
前記開口部形成工程、補強フレーム設置工程、及び受替え工程を行って建物の壁からの荷重を梁に受け替えた後に、又は前記開口部形成工程、補強フレーム設置工程、及び受替え工程に並行して、建物を支持している地盤に複数の杭坑を削孔し、各杭坑内に仮設構真柱を建て込み、該仮設構真柱に建物の荷重を受け替え、この後に、既設の杭を撤去するとともに、建物の地下部分を構築し、該本設地下躯体に建物の荷重を受け替え、仮設構真柱を撤去することを特徴とする請求項１から４の何れかに記載の仮受け工法。
【請求項６】
前記開口部形成工程の前に、前記既設の壁の下部に複数のアンカーを打設ことにより該壁の下部を補強するアンカー打設工程を行うことを特徴とする請求項１から５の何れかに記載の仮受け工法。
【請求項７】
請求項１から６の何れかに記載の仮受け工法を用いて構築される仮受け構造体であって、
建物の既設の壁の下部に構築され、該壁からの荷重を支持する梁を備えていることを特徴とする仮受け構造体。
【発明の詳細な説明】
【技術分野】
【０００１】
本発明は、仮受け工法及び仮受け構造体に関し、特に、歴史的保存価値の高い組積造建物（レンガ造、石造等）の基礎の補修、地下部分の構築等に有効な仮受け工法及び仮受け構造体に関する。
【背景技術】
【０００２】
近年、歴史的保存価値の高い組積造建物（レンガ造、石造等）の老朽化、有効利用等に対応するため、大規模な補修工事が行われている。このような補修工事においては、建物の基礎形式に不安があったり、地下部分を構築する必要がある場合等に、建物を一旦仮受け（アンダーピーニング）する必要がある。
【０００３】
従来、上記のような建物を仮受けする工法の一例として、建物の脇に仮受け支持杭を打設し、建物の壁を両側から添梁（仮設補強梁）によって挟み込み、ＰＣ鋼等により壁と添梁とを緊結することにより壁の崩壊を防止し、この後に支持杭を跨ぐように横桁を構築し、建物の重量を添梁→横桁→支持杭の流れで支持するように構成した仮受け工法が提案されている（例えば、特許文献１参照。）。
【特許文献１】特開平１１−１４８２３１号公報
【発明の開示】
【発明が解決しようとする課題】
【０００４】
ところで、上記のような仮受け工法にあっては、建物の重量を壁から添梁に受け替えるために、壁と添梁とを強固に緊結する必要がある。このため、壁を貫通するＰＣ鋼が大量に必要になり、壁への影響が大きくなる。また、添梁を撤去する際に、壁面を傷付ける虞もある。
【０００５】
一方、上記のような問題に対処するため、添梁のレベルを下げて本設の梁として利用する仮受け工法が提案されている。このような工法にあっては、添梁を撤去する必要がないので、壁面を傷付ける虞はないが、躯体の幅が増加するため、階段やエレベータ等を計画する場合に支障を来たす虞がある。
【０００６】
本発明は、上記のような従来の問題に鑑みなされたものであって、大掛かりな添梁を構築する必要がなく、また、壁と添梁とを緊結するためのＰＣ鋼等が不要であって、ＰＣ鋼等により壁への影響がなく、添梁の撤去の際に壁面に傷付けるようなこともなく、さらに、躯体幅が増加して階段やエレベータ等の建築計画に支障を来たすようなことがなく、そして、施工が容易で工期の短縮化、施工費の削減を図ることができる仮受け工法及び仮受け構造体を提供することを目的とする。
【課題を解決するための手段】
【０００７】
上記のような課題を解決するために、本発明は、以下のような手段を採用している。
すなわち、請求項１に係る発明は、建物の既設の壁の下部の全長に亘って所定の間隔ごとに開口部を形成する開口部形成工程と、前記各開口部内に補強フレームをそれぞれ設置する補強フレーム設置工程と、隣接する補強フレーム間に位置する壁の部分を撤去し、その部分に補強フレームを設置するとともに、前記開口部内にコンクリートを打設して、前記壁の下部に梁を構築する受替え工程とを備えてなることを特徴とする。
【０００８】
本発明による建物の仮受け方法によれば、開口部形成工程において、建物の既設の壁の全長に亘って所定の間隔ごとに開口部を設ける。そして、補強フレーム設置工程において、各開口部内に補強フレームを設置し、各開口部を補強する。そして、受替え工程において、隣接する補強フレーム間に位置する壁の部分を撤去し、その部分に補強フレームを設置し、開口部にコンクリートを打設することにより、壁の下部に壁からの荷重を支持する梁が構築されることになる。
【０００９】
請求項２に係る発明は、請求項１に記載の建物の仮受け工法であって、前記開口部形成工程と前記補強フレーム設置工程とを交互に行い、前記開口部形成工程で形成した開口部を前記補強フレーム設置工程の補強フレームで順次補強することを特徴とする。
【００１０】
本発明による建物の仮受け工法によれば、壁の強度に不安がある場合には、開口部形成工程による開口部の形成と補強フレーム設置工程による開口部への補強フレームの設置とを交互に行うことにより、開口部を順次補強フレームによって補強することができ、壁の崩壊を防止することができる。
【００１１】
請求項３に係る発明は、請求項１又は２に記載の仮受け工法であって、前記補強フレームと前記壁との間には、ジャッキが設置されていることを特徴とする。
【００１２】
本発明による仮受け工法によれば、開口部に設置した補強フレームの変形量をジャッキによって調整することができる。
【００１３】
請求項４に係る発明は、請求項１から３の何れかに記載の仮受け工法であって、前記建物は複数の壁を有し、各壁の下部にそれぞれ縦梁が構築されるとともに、隣接する壁の下部間に縦梁間を連結するつなぎ梁が構築されることを特徴とする。
【００１４】
本発明による仮受け工法によれば、開口部形成工程、補強フレーム設置工程、及び受替え工程を経ることにより、建物を構成する複数の壁の各壁の下部にそれぞれ縦梁が構築されるとともに、隣接する壁の縦梁間を連結するつなぎ梁が構築されることになる。
【００１５】
請求項５に係る発明は、請求項１から４の何れかに記載の仮受け工法であって、前記開口部形成工程、補強フレーム設置工程、及び受替え工程を行って建物の壁からの荷重を梁に受け替えた後に、又は前記開口部形成工程、補強フレーム設置工程、及び受替え工程に並行して、建物を支持している地盤に複数の杭坑を削孔し、各杭坑内に仮設構真柱を建て込み、該仮設構真柱に建物の荷重を受け替え、この後に、既設の杭を撤去するとともに、建物の地下部分を構築し、該本設地下躯体に建物の荷重を受け替え、仮設構真柱を撤去することを特徴とする。
【００１６】
本発明による仮受け工法によれば、建物の壁からの荷重を壁の下部に構築した梁に受け替えた後に、又は壁の下部に梁を構築するのに並行して、建物の地下部分を構築することができる。この場合、壁からの荷重を支持している梁の厚みを壁の厚み内に収めることができるので、エレベータや階段の設置に支障を来たすようなことはない。
【００１７】
請求項６に係る発明は、請求項１から５の何れかに記載の仮受け工法であって、前記開口部形成工程の前に、前記既設の壁の下部に複数のアンカーを打設ことにより該壁の下部を補強するアンカー打設工程を行うことを特徴とする。
【００１８】
本発明による仮受け工法によれば、既設の壁の下部に開口部を形成する前に、複数のアンカーによって壁を補強することができるので、開口部を形成する際に壁が崩落するのを防止できる。
【００１９】
請求項７に係る発明は、請求項１から６の何れかに記載の仮受け工法を用いて構築される仮受け構造体であって、建物の既設の壁の下部に構築され、該壁からの荷重を支持する梁を備えていることを特徴とする。
【００２０】
本発明による仮受け構造体によれば、建物の既設の壁の下部に容易に梁を構築することができ、この梁に建物の壁からの荷重を受け替えることができる。この場合、大掛かりな添梁及びＰＣ鋼棒を必要とすることがなく、梁の厚みを壁の厚み内に納めることができるので、工期の短縮、工費の削減を図ることができるとともに、エレベータや階段等を計画する場合に支障を来たすようなこともない。
【発明の効果】
【００２１】
以上、説明したように、本発明による仮受け方法及び仮受け構造体によれば、大掛かりな添梁を構築する必要がなく、また壁と添梁とを緊結するためのＰＣ鋼等が不要であるので、ＰＣ鋼等によって壁へ影響を与えるようなことがなく、添梁の撤去の際に壁面に傷付けるようなこともない。さらに、壁の下部に構築する梁の厚みを壁の厚み内に納めることができるので、エレベータや階段等の建築計画に支障を来たすようなことはない。さらに、施工が容易であるので、工期を短縮することができるとともに、施工費を削減することもできる。
【発明を実施するための最良の形態】
【００２２】
以下、図面に示す本発明の実施の形態について説明する。
図１〜図７には、本発明による仮受け工法の一実施の形態が示されていて、図１はアンカー打設工程の部分拡大縦断面図、図２は開口部形成工程の部分拡大縦断面図、図３は図２の正面図、図４は補強フレーム設置工程の部分拡大縦断面図、図５は図４の正面図、図６は受替え工程の部分拡大縦断面図、図７は図６の正面図である。
【００２３】
すなわち、この仮受け工法は、歴史的保存価値の高い組積造建物（レンガ造、石造等）の補修工事に適用したものであって、アンカー打設工程、開口部形成工程、補強フレーム設置工程、及び受替え工程の４つの作業工程を備えている。
【００２４】
アンカー打設工程は、図１に示すように、組積造建物１（本実施の形態においてはレンガ造の組積造建物）の壁２の下部を補強し、壁２を構成しているレンガの崩落を防止する対策を施す工程であって、壁２の下部を厚み方向に水平に又は斜め（本実施の形態においては水平）に貫通するアンカー孔３を穿設し、このアンカー孔３内に樹脂アンカー４を打設する。
【００２５】
アンカー孔４は、壁２の全長に渡って所定の間隔ごとに、かつ上下方向に複数段（本実施の形態においては２段）となるように、複数箇所に穿設する。また、各アンカー孔４は、壁２を裏面側から表面側に貫通して先端が壁２の表面側に設けられている花崗岩等の石材からなる腰５の内部にまで達するように、削孔ドリル等を用いてそれぞれ穿設する。
【００２６】
樹脂アンカー４としては、特に制限はなく、周知の各種の樹脂アンカー４を使用することができる。樹脂アンカー４をアンカー孔３内に打設することにより、樹脂材の一部が壁２を構成するレンガ間に回り込み、既設の目地を補強する。
【００２７】
壁２の下部の裏面側には鉄板等からなる補強板７が樹脂アンカー４によって固定され、この補強板７と樹脂アンカー４との協働によって壁２の下部が補強され、壁２を構成するレンガの崩壊が防止される。補強板７には、樹脂アンカー４の頭部を挿通させるための孔が設けられ、この孔内を挿通させた樹脂アンカー４の頭部にナット８を螺合させて締め付けることにより、補強板７が壁２の裏面側に固定される。なお、補強板７は、必要に応じて設ければよく、樹脂アンカー４のみによって壁２の下部を補強できる場合には設ける必要はない。なお、壁２に腰５が存在しない場合には、壁２に樹脂アンカーを貫通させて、壁の表裏面に補強板を設置し、樹脂アンカーにナットを締め付ければよい。
【００２８】
開口部形成工程は、図２及び図３に示すように、樹脂アンカー４と補強板７とにより補強した部分の下方の部分に、壁２を厚み方向に貫通する開口部９を全長に亘って所定の間隔ごとに設ける工程であって、ワイヤソー等を用いて四角形状の開口部９を壁２の全長に亘って所定の間隔ごとに設ける。
【００２９】
この場合、各開口部９の両側には花崗岩等の石材からなる腰５がせり持ち状態で自立しており、しかも壁２を構成するレンガは目地部分に回りこんだ樹脂材によって腰５の裏面側に付着されているので、各開口部９の上方の壁２を構成するレンガが崩壊するようなことはない。
【００３０】
なお、本実施の形態においては、四角形状の開口部９を１ｍ間隔ごとに設けているが、開口部９の形状、設置間隔は、壁２の種類、規模等に応じて適宜の形状、間隔に設定すればよい。
【００３１】
補強フレーム設置工程は、図４及び図５に示すように、開口部形成工程で設けた各開口部９内に補強フレーム１０を設置する工程であって、開口部９の両側に流していた開口部９の上方からの荷重を補強フレーム１０に受け替え、壁２からの荷重を補強フレーム１０及び補強フレーム１０の両側の壁２の部分で支持する。
【００３２】
補強フレーム１０は、開口部９の側部に垂直に立設される一対の柱１１、１１と、両柱１１、１１の上端間に架設される補強梁１２とからなる門形状をなすものであって、各柱１１と補強梁１２との間にはそれぞれジャッキ１３が介装され、このジャッキ１３によって補強フレーム１０の変形が調整される。なお、補強フレーム１０を開口部９に設置する際に、花崗岩等の石材からなる腰５の下部に位置している花崗岩等の石材からなる基壇６は撤去する。
【００３３】
なお、組積造建物１の壁２の強度に不安がある場合には、開口部形成工程と補強フレーム設置工程とを交互に行い、開口部９を形成した後にその開口部９を補強フレーム１０で補強し、このような開口部９の形成、補強フレーム１０の設置を連続して行うようにしてもよい。
【００３４】
受替え工程は、図６及び図７に示すように、まず、補強フレーム設置工程で設置した補強フレーム１０、１０間に位置している壁２の部分を撤去し、その部分に補強フレーム設置工程で設置した補強フレーム１０と同一構成の補強フレーム１０を設置し、壁２からの荷重を複数の補強フレーム１０、１０……に受け替える。
【００３５】
次に、開口部９内に鉄筋１４（上筋、下筋、あばら筋等）を配筋するとともに、必要に応じて鉄骨を配置し、その後に開口部９内にコンクリート１５を打設し、壁２の下部に壁２の全長に亘る梁１６（縦梁）を構築する。そして、この後に、補強板７から突出している各樹脂アンカー４の頭部を切断し、補強板７を壁２から取り外す。なお、補強フレーム設置工程で使用したジャッキ１３は、鋼材に置き換えてもよいし、撤去してもよいし、埋め殺しにしてもよい。
【００３６】
そして、上記のようなアンカー打設工程、開口部形成工程、補強フレーム設置工程、及び受替え工程を組積造建物１の各壁２について行い、各壁２の下部に各壁２の全長に亘る梁１６（縦梁）をそれぞれ構築する。そして、隣接する壁２、２の縦梁１６、１６間に鉄筋１４（上筋、下筋、あばら筋等）を配筋するとともに、必要に応じて鉄骨を配置し、コンクリート１５を打設することにより、隣接する縦梁１６、１６間を連結するつなぎ梁１７を構築する。
【００３７】
このようにして、組積造建物１の壁２からの荷重を梁１６、１７（縦梁１６及びつなぎ梁１７）に受け替えることにより、組積造建物１の重量を支持する梁１６、１７（縦梁１６及びつなぎ梁１７）を壁２の下部に備えた仮受け構造体１８を構築することができる。
【００３８】
次に、組積造建物１（レンガ造、石造等）に地下部分を構築する手順について説明する。
まず、図８に示すように、前述したアンカー打設工程と並行して、組積造建物１の外側に組積造建物１に沿って地上から山留２０を打設し、組積造建物１の土間２１を撤去し、所定の位置に杭坑２２を削孔し、各杭坑２２内に本設杭２３（仮設兼用）を打設し、各杭坑２２内に仮設構真柱２４を建て込む。
【００３９】
次に、図９に示すように、前述した開口部形成工程及び補強フレーム設置工程を行い、組積造建物１の壁２の下部に壁２の全長に亘って所定の間隔ごとに開口部９を設けるとともに、各開口部９内にそれぞれ補強フレーム１０を設置し、開口部９の上方からの荷重を補強フレーム１０に受け替える。
【００４０】
次に、図１０に示すように、前述した受替え工程を行うことにより、壁２の下部に梁１６、１７（縦梁１６及びつなぎ梁１７）を構築し、組積造建物１の壁２からの荷重を梁１６、１７（縦梁及びつなぎ梁）に受け替える。この場合、つなぎ梁１７の両端部を組積造建物１の外壁面から外方に所定の長さ突出させる。
【００４１】
そして、図１１に示すように、梁１６、１７（縦梁及びつなぎ梁）の下端と山留２０との間、及び各仮設構真柱２４との間にそれぞれジャッキ１３を介装させ、梁１６、１７（縦梁及びつなぎ梁）で支持していた組積造建物１の荷重をジャッキ１３を介して山留２０及び仮設構真柱２４に受け替える。この場合、必要に応じてジャッキ１３と梁１６、１７との間に免震装置（図示せず）を介装させる。
【００４２】
そして、組積造建物１の壁２を支持していた既設の杭２５（松杭等）を撤去し、組積造建物１の地下部分を掘削し、掘削した部分に本設地下躯体２６を構築し、仮設構真柱２４を撤去することにより、組積造建物１の壁２からの荷重を梁１６、１７（縦梁及びつなぎ梁）から本設節地下躯体２６を介して本設杭２３に流す。このようにして、組積造建物１の地下部分を構築することができる。
【００４３】
上記のように構成した本実施の形態による仮受け工法及び仮受け構造体にあっては、大掛かりな添梁を構築する必要がなく、また添梁と壁２とをＰＣ鋼棒で緊結する必要がないので、壁面への影響を小さくすることができ、壁面に傷付ける心配もなくなる。
【００４４】
また、施工が容易であるので、工期を短縮することができるとともに、施工費を削減することができ、明治から昭和初期に建造された花崗岩製の腰５を備えた建物であっても、補修工事や地下部分の構築等を短い工期で、かつ安価な施工費で行うことができる。
【００４５】
さらに、壁２の下部に構築される梁１６（縦梁）は、壁２の厚みと同等の厚みに納めることができるので、エレベータや階段等を構築する建築計画に影響を与えるようなことはない。
【００４６】
なお、前記の説明においては、開口部形成工程の前にアンカー打設工程を行ったが、壁の強度に問題がない場合には、アンカー打設工程を省略してもよい。
【図面の簡単な説明】
【００４７】
【図１】本発明による仮受け工法の一実施の形態のアンカー打設工程を示した部分拡大縦断面図である。
【図２】図１に示す仮受け工法の開口部形成工程の部分拡大縦断面図である。
【図３】図２の正面図である。
【図４】図１に示す仮受け工法の補強フレーム設置工程の部分拡大縦断面図である。
【図５】図４の正面図である。
【図６】図１に示す仮受け工法の受替え工程の部分拡大縦断面図である。
【図７】図６の正面図である。
【図８】本発明による仮受け工法の他の実施の形態を示した概略断面図であって、仮設構真柱の建込み手順を示した説明図である。
【図９】図５に示す仮受け工法の開口部形成工程の概略図である。
【図１０】図５に示す仮受け工法の補強フレーム設置工程の概略図である。
【図１１】図５に示す仮受け工法の受替え工程の概略図である。
【符号の説明】
【００４８】
１    組積造建物                ２    壁
３    アンカー孔                ４    樹脂アンカー
５    腰                        ６    基壇
７    補強板                    ８    ナット
９    開口部                    １０  補強フレーム
１１  柱                        １２  補強梁
１３  ジャッキ                  １４  鉄筋
１５  コンクリート              １６  梁（縦梁）
１７  梁（つなぎ梁）            １８  仮受け構造体
２０  山留                      ２１  土間
２２  杭坑                      ２３  本設杭
２４  仮設構真柱                ２５  既設の杭
２６  本設地下躯体
【図１】
2006299660.tif 000003
【図２】
2006299660.tif 000004
【図３】
2006299660.tif 000005
【図４】
2006299660.tif 000006
【図５】
2006299660.tif 000007
【図６】
2006299660.tif 000008
【図７】
2006299660.tif 000009
【図８】
2006299660.tif 000010
【図９】
2006299660.tif 000011
【図１０】
2006299660.tif 000012
【図１１】
2006299660.tif 000013